(57)【要約】【課題】施工性を向上させた床用配線装置を提供する。【解決手段】床用配線装置は、床材１００に設けられた開口部１００ａを通して床材１００の裏面側に配置される配線器具ブロック３と、床材１００の表面側に配置される天板５とを備える。床材１００の開口部１００ａは矩形状に形成され、配線器具ブロック３は開口部１００ａの一辺に沿うようにして配置され、天板５は開口部１００ａの一辺に配置される略矩形板状に形成されている。そして、床材１００を間にして配線器具ブロック３と天板５とを取付ねじ９を用いて固定することで、配線器具ブロック３が床材１００に取り付けられる。【選択図】図１
2012135094.tif 000002
【特許請求の範囲】
【請求項１】
床材に設けられた開口部を通して前記床材の裏面側に配置される配線器具ブロックと、前記床材の表面側に配置される天板とを備え、前記配線器具ブロックと前記天板とが前記床材を挟持した状態でねじ固定されることを特徴とする床用配線装置。
【請求項２】
前記開口部は矩形状に形成され、前記配線器具ブロックは前記開口部の一辺に沿うようにして配置され、前記天板は前記開口部の一辺に沿って配置される矩形板状に形成されていることを特徴とする請求項１記載の床用配線装置。
【請求項３】
前記配線器具ブロックに接続される電線を収納するための収納空間を前記床材の裏面側の空間から仕切る仕切部材を備えていることを特徴とする請求項１又は２記載の床用配線装置。
【発明の詳細な説明】
【技術分野】
【０００１】
本発明は、床用配線装置に関するものである。
【背景技術】
【０００２】
従来より、オフィスなどの床面に配設されるフロアコンセントが提供されている（例えば特許文献１参照）。このフロアコンセントは、電力用コンセントや電話用モジュラジャックなどの配線器具が内部に配設されるボックスと、ボックスの上部に取り付けられて当該ボックスの上面開口を開閉自在に閉塞するプレート枠とを備える。このフロアコンセントでは、ボックスの開口端縁に設けられた外鍔部とボックスの外側面に設けられた取付金具とで床材を挟持させることでボックスが床材に取り付けられ、さらにボックスの上面開口を閉塞するようにしてプレート枠をボックスに取り付けることでフロアコンセントの施工が完了する。
【先行技術文献】
【特許文献】
【０００３】
【特許文献１】特開平４−３５１４１１号公報（段落［０００７］、及び、第９図）
【発明の概要】
【発明が解決しようとする課題】
【０００４】
上述の特許文献１に示したフロアコンセントでは、床材に設けられた開口部にボックスを挿入した後、上記外鍔部を床材の表面に当接させるとともに上記取付金具を床材の裏面に当接させ、この状態で取付ねじを締め付けて外鍔部と取付金具とで床材を挟持させることでボックスが床材に取り付けられる。つまり本従来例では、ボックスを床材に取り付ける際には床材の両面から作業することになり、そのため床材を一旦取り外す必要があることからその分施工性が低下するものであった。
【０００５】
本発明は上記問題点に鑑みて為されたものであり、その目的とするところは、施工性を向上させた床用配線装置を提供することにある。
【課題を解決するための手段】
【０００６】
本発明の床用配線装置は、床材に設けられた開口部を通して床材の裏面側に配置される配線器具ブロックと、床材の表面側に配置される天板とを備え、配線器具ブロックと天板とが床材を挟持した状態でねじ固定されることを特徴とする。
【０００７】
この床用配線装置において、開口部は矩形状に形成され、配線器具ブロックは開口部の一辺に沿うようにして配置され、天板は開口部の一辺に沿って配置される矩形板状に形成されているのが好ましい。
【０００８】
また、この床用配線装置において、配線器具ブロックに接続される電線を収納するための収納空間を床材の裏面側の空間から仕切る仕切部材を備えているのも好ましい。
【発明の効果】
【０００９】
施工性を向上させた床用配線装置を提供することができるという効果がある。
【図面の簡単な説明】
【００１０】
【図１】（ａ）〜（ｅ）は本実施形態の床用配線装置を構成する配線器具ブロックを床材に取り付ける手順を説明するための説明図を模式的に表したものである。
【図２】（ａ）〜（ｄ）は同上を構成する蓋ブロックを配線器具ブロック側に取り付ける手順を説明するための説明図を模式的に表したものである。
【図３】同上の分解斜視図である。
【図４】同上の施工状態を示す斜視図である。
【図５】同上の他の例を示し、（ａ）〜（ｄ）は配線器具ブロックを床材に取り付ける手順を説明するための説明図を模式的に表したものである。
【図６】同上のさらに他の例を示す分解斜視図である。
【発明を実施するための形態】
【００１１】
以下に、床用配線装置の実施形態を図１〜図５に基づいて説明する。なお、図示を簡素化するために図２ではパッキン６を省略し、図３ではカーペット切断治具１１を省略している。
【００１２】
本実施形態の床用配線装置は、図３に示すように、配線器具ブロック３，４とカバー（仕切部材）７とを備える。配線器具ブロック３，４は、床材１００（図１参照）の裏面側に、機能面を互いに対向させた状態で配置される。カバー７は、配線器具ブロック３，４の後述する取付金具３０，４０とともに床材１００の裏面側の空間を仕切り、配線器具ブロック３，４に接続される電線を収めるための収納空間を形成する。
【００１３】
また、床用配線装置は、配線器具ブロック３，４を床材１００に取り付けるための一対の天板５，５と、天板５，５の上部に配置されるカーペット切断治具１１（図２（ａ）参照）と、天板５，５とカーペット切断治具１１の間に配置されるパッキン６とを備える。さらに、床用配線装置は、配線器具ブロック３，４の機能面を室内側（床材１００の表面側）に露出させるための開口窓１ａを有し、床材１００に取着された天板５に取り付けられる枠部１と、枠部１に回転自在に支持されて開口窓１ａを閉塞する蓋部２とを備える。
【００１４】
枠部１は、例えばアルミダイキャストにより矩形枠状に形成され、中央部には矩形状の開口窓１ａが設けられている。また、開口窓１ａの開口端縁には、蓋部２を閉じた際に蓋部２の一部が載置されるコ字型の載置部１ｂが３辺に跨る形で設けられており、載置部１ｂの四隅には取付ねじ８が挿通されるねじ挿通孔１ｃがそれぞれ設けられている。さらに、枠部１の対向する２つの枠辺には、蓋部２を支持するための支持軸（図示せず）の両端部がそれぞれ差し込まれる軸受孔１ｄ（図３では片側のみ図示）が設けられている。
【００１５】
蓋部２は、配線器具ブロック３，４に接続される電線（図示せず）を通すための通線孔２０ｃが設けられた蓋部本体２０と、蓋部本体２０に回転自在に支持されて通線孔２０ｃを閉塞する通線チップ２１とで構成される。
【００１６】
蓋部本体２０は、例えばアルミダイキャストにより矩形板状に形成された主片２０ａを有し、主片２０ａの一辺には上記の支持軸が挿通される挿通孔を有する軸保持部２０ｂが設けられている。また、主片２０ａにおいて軸保持部２０ｂが設けられた一辺に隣接する他の一辺には、矩形状に切り欠かれた通線孔２０ｃが設けられている。さらに、主片２０ａにおいて軸保持部２０ｂと反対側には、蓋部本体２０を開閉する際に用いられる開閉用ボタン２２を露出させるための露出孔２０ｆが設けられている。
【００１７】
また、通線孔２０ｃの開口端縁において対向する二辺には、通線チップ２１を閉じた際に通線チップ２１の一部が載置される載置片２０ｅ（図３では片側のみ図示）が設けられるとともに、通線チップ２１を支持するための支持軸（図示せず）の両端部がそれぞれ差し込まれる軸受孔２０ｇ（図３では片側のみ図示）が設けられている。さらに、通線孔２０ｃの開口端縁の残りの一辺には、上記の支持軸が載置される軸受片２０ｄ，２０ｄが設けられている。
【００１８】
通線チップ２１は、例えばアルミダイキャストにより横長の矩形板状に形成された主片２１ａを有し、主片２１ａの蓋部本体２０側には、上記の支持軸が挿通される挿通孔を有する軸保持部２１ｂが設けられている。また、主片２１ａの下面には、下方に突出する複数（図３では３個）の脚部２１ｃが等間隔で横並びに設けられている。さらに、左右両側の脚部２１ｃ，２１ｃの下端部には、通線チップ２１の開方向への移動を規制するためのストッパー２１ｄ（図３では片側のみ図示）が設けられている。
【００１９】
ここにおいて、各脚部２１ｃは、側面視の形状が、通線チップ２１を開いた状態で水平となる第１の辺と、通線チップ２１を閉じた状態で鉛直となる第２の辺を有する三角形状に形成されている。また、中央の脚部２１ｃは、強電流電線（例えば後述の電源コンセント３１に接続される電力供給用の電線）と弱電流電線（例えば後述のモジュラジャック４１に接続される信号用の電線）とを隔てる隔壁として兼用される。例えば、中央の脚部２１ｃの右側に強電流電線を配線するとともに、左側に弱電流電線を配線することで両電線を離間させることができる。
【００２０】
天板５は、例えば金属材料によりコ字型に形成され、左右方向に延設された主片の両端部にはそれぞれ取付ねじ８がねじ込まれるねじ孔５ａが設けられるとともに、取付ねじ９が挿通されるねじ挿通孔５ｂが設けられている。この天板５は２個１組で用いられ、開口側を他方の天板５側に向けた状態で床材１００の開口部１００ａの一辺に沿うようにして配置される。なお、施工手順については後述する。
【００２１】
パッキン６は、例えば合成樹脂成形品であって、中央部に矩形状の開口部６ａを有する矩形枠状に形成され、上記の天板５，５とカーペット切断治具１１の間に配置される。
【００２２】
配線器具ブロック３は、電源コンセント３１と、電源コンセント３１が着脱自在に取り付けられる取付枠３２と、取付枠３２が取り付けられる主片３０ｅを有し、側面視の形状が略Ｌ字状に折曲形成された取付金具３０とで構成され、取付金具３０の主片３０ｅには電源コンセント３１の機能面を露出させる矩形状の開口部３０ａが設けられている。また、取付金具３０の主片３０ｅの上端縁には、施工状態での内側（収納空間側）に向かって突出する一対の取付片３０ｂ，３０ｂが設けられ、各取付片３０ｂには取付ねじ９がねじ込まれるねじ孔３０ｃがそれぞれ設けられている。さらに、取付金具３０の主片３０ｅの下端縁には、施工状態での内側に向かって突出する取付片３０ｄが設けられ、この取付片３０ｄには取付ねじ１０が挿通されるねじ挿通孔（図示せず）が設けられている。
【００２３】
配線器具ブロック４は、複数（図３では３個）のモジュラジャック４１（例えばＬＡＮ用モジュラジャックやＴＥＬ用モジュラジャックなど）と、これらのモジュラジャック４１が着脱自在に取り付けられる取付枠４２と、取付枠４２が取り付けられる主片４０ｅを有し、側面視の形状が略Ｌ字状に折曲形成された取付金具４０とで構成され、取付金具４０の主片４０ｅにはモジュラジャック４１の機能面を露出させる矩形状の開口部（図示せず）が設けられている。また、取付金具４０の主片４０ｅの上端縁には、施工状態での内側（収納空間側）に向かって突出する一対の取付片４０ｂ，４０ｂが設けられ、各取付片４０ｂには取付ねじ９がねじ込まれるねじ孔４０ｃがそれぞれ設けられている。さらに、取付金具４０の主片４０ｅの下端縁には、施工状態での内側に向かって突出する取付片（図示せず）が設けられ、この取付片には取付ねじ１０が挿通されるねじ挿通孔が設けられている。
【００２４】
ここにおいて、上記の取付片３０ｂ，４０ｂは配線器具ブロック３，４に天板５を取り付けるために用いられ、取付片３０ｄ（取付金具４０の取付片については図示せず）は後述のカバー７を配線器具ブロック３，４に取り付けるために用いられる。
【００２５】
カバー７は、金属材料により略コ字型に形成され、カバー７の底面において各取付金具３０，４０の取付片３０ｄ（取付金具４０の取付片については図示せず）のねじ挿通孔に対応する部位には、取付ねじ１０がねじ込まれるねじ孔７ａ（図３では片側のみ図示）が設けられている。なお、このカバー７は、取付金具３０，４０とともに、配線器具ブロック３，４に接続される電線を収納するための収納空間を床材１００の裏面側の空間から仕切るために用いられ、その結果、床材１００の裏面側の空間が見えにくくなり見栄えが向上するという利点がある。また、配線器具ブロック３，４に接続される電線の余長分を上記の収納空間に収納することができる。
【００２６】
カーペット切断治具１１は、図２（ａ）に示すように、例えば金属材料により矩形枠状に形成され、中央部には矩形状の開口部１１ａが設けられている。また、開口部１１ａの対向する二辺には、下側に向かって突出する突片１１ｂ，１１ｂがそれぞれ折曲形成されている。なお、開口部１１ａの開口寸法は、床材１００に設けられた開口部１００ａの開口寸法と略同寸法に設定されている。
【００２７】
次に、本実施形態の床用配線装置の施工手順について、図１及び図２を参照しながら説明する。なお、以下の説明では、通線チップ２１が蓋部本体２０に予め組み付けられ、さらに蓋部２が枠部１に予め組み付けられているものとして説明を行う。また、図１では図示を簡略にするため、片側の床材１００を省略して図示してある。
【００２８】
図１（ａ）に示すように、２枚の床材１００を突き合わせることで形成される矩形状の開口部１００ａを通して配線器具ブロック３を床材１００の裏面側に挿入する。続けて、床材１００の表面側に天板５を配置し、床下に配置された配線器具ブロック３と天板５とを取付ねじ９を用いて接続する。そして、この状態から取付ねじ９を締め付けていくと、配線器具ブロック３と天板５の間で床材１００が挟持され、配線器具ブロック３が床材１００に取り付けられる（図１（ｂ）参照）。また同様にして、配線器具ブロック４を床材１００に取り付ける（図１（ｃ）参照）。
【００２９】
次に、図１（ｄ）に示すように、互いの機能面が向かい合う形で配置された配線器具ブロック３，４の間にカバー７を挿入し、取付ねじ１０を用いてカバー７を配線器具ブロック３，４に取り付ける。このとき、カバー７は、図１（ｅ）に示すように両側壁が配線器具ブロック３，４の配設方向に沿うようにして配置され、その結果、両側壁及び配線器具ブロック３，４によって、上記の収納空間が床材１００の裏面側の空間から仕切られる。
【００３０】
続けて、床材１００に取り付けられた天板５，５の上側から開口部１００ａにカーペット切断治具１１をセットし、その後、カーペット切断治具１１上にカーペット１１０を乗せる（図２（ａ）及び図２（ｂ）参照）。ここで、カーペット切断治具１１の上面には、例えば両面テープなどの接着部材が取り付けられており、カーペット１１０を取り外した際にはカーペット切断治具１１がカーペット１１０の裏面に接着された状態になる。その後、図２（ｃ）に示すように、取り外したカーペット１１０を裏返し、カーペット切断治具１１の外形に沿ってカッター１２０によりカーペット１１０を切断すると、カーペット切断治具１１の外形寸法と同寸法に設定された開口部１１０ａがカーペット１１０に形成される。
【００３１】
そして最後に、天板５，５に沿ってパッキン６を配置するとともに、図２（ｄ）に示すようにカーペット切断治具１１を再度床材１００の開口部１００ａにセットし、その上からカーペット１１０を乗せた後、蓋部２が取り付けられた枠部１を取付ねじ８を用いて天板５，５に固定すると、床用配線装置の施工が完了する（図４参照）。
【００３２】
また、本実施形態の他の床用配線装置について、図５を参照しながら説明する。上述した床用配線装置では配線器具ブロックが２個の場合について説明したが、ここでは配線器具ブロックが１個の場合について説明する。なお、上述した床用配線装置と同様の構成については、同一の符号を付して説明を省略する。また、必要に応じて図３を参照する。
【００３３】
本例の床用配線装置は、枠部１と、蓋部２と、配線器具ブロック３と、天板５と、パッキン６と、カーペット切断治具１１と、カバー１２とを備える。
【００３４】
カバー１２は、図５（ｃ）に示すように、一側面と上面とが開口する矩形箱状に形成され、カバー１２の底面には、配線器具ブロック３の取付金具３０に設けられた取付片３０ｄの挿通孔に対応する部位に、取付ねじ１０がねじ込まれるねじ孔（図示せず）が設けられている。
【００３５】
次に、床用配線装置の施工手順について説明する。図５（ａ）に示すように、２枚の床材１００を突き合わせることで形成される矩形状の開口部１００ａを通して配線器具ブロック３を床材１００の裏面側に挿入する。続けて、床材１００の表面側に天板５を配置し、床下に配置された配線器具ブロック３と天板５とを取付ねじ９を用いて接続する。そして、この状態から取付ねじ９を締め付けていくと、配線器具ブロック３と天板５の間で床材１００が挟持され、配線器具ブロック３が床材１００に取り付けられる（図５（ｂ）参照）。
【００３６】
続けて、図５（ｃ）に示すように、開口側が配線器具ブロック３側となるようにカバー１２の向きを調整し、床材１００の開口部１００ａを通して床材１００の裏面側に挿入するとともに、取付ねじ１０を用いてカバー７を配線器具ブロック３に固定する。このとき、カバー１２は、図５（ｄ）に示すように、配線器具ブロック３が配置された一辺を除く三方及び下方を覆うように配置され、その結果、カバー１２及び配線器具ブロック３によって、上記の収納空間が床材１００の裏面側の空間から仕切られる。
【００３７】
なお、カーペット切断治具１１及び枠部１の施工手順については、上述した床用配線装置と同様であるから、ここでは説明を省略する。
【００３８】
而して、本実施形態によれば、床用配線装置を施工する際には、床材１００に設けられた開口部１００ａを通して配線器具ブロック３（又は配線器具ブロック４）を床材１００の裏面側に挿入した後、床材１００の表面側から天板５を乗せるとともに配線器具ブロック３と天板５とをねじ固定するだけでいいので、従来例のように床材を取り外さなくてもよく、施工性を向上させることができる。
【００３９】
ここで、本実施形態の床用配線装置では、天板５が床材１００の開口部１００ａの一辺に沿った矩形板状（具体的にはコ字型）に形成され、また配線器具ブロック３（又は配線器具ブロック４）が床材１００の開口部１００ａの一辺に沿って配置されている。したがって、上記の実施形態では、配線器具ブロック３，４を開口部１００ａの裏面側に挿入してから天板５と接続しているが、例えば取付ねじ９を緩めた状態で配線器具ブロック３と天板５とを予め接続し、その後、配線器具ブロック３を床材１００の開口部１００ａを通して床材１００の裏面側に配置することもできる。この場合、その後の作業としては取付ねじ９を締め付けるだけでいいので、施工性をさらに向上させることができる。
【００４０】
なお、本実施形態では２個１組の天板５，５で天板を構成しているが、天板の形状及び個数については本実施形態に限定されるものではなく、例えば図６に示すように矩形枠状に形成された１個の天板であってもよい。
【符号の説明】
【００４１】
３  配線器具ブロック
５  天板
９  取付ねじ
１００  床材
１００ａ  開口部
【図１】
2012135094.tif 000003
【図２】
2012135094.tif 000004
【図３】
2012135094.tif 000005
【図４】
2012135094.tif 000006
【図５】
2012135094.tif 000007
【図６】
2012135094.tif 000008